(57)【要約】【課題】  仕掛けを投入ポイントに安全かつ容易に投入できる投げ釣り用補助具を提供する。【解決手段】  補助具１０は、釣り竿２に取付けられたリール４０の近傍で釣り竿２に設けられる。補助具１０は、互いに当接可能な球状曲面を有し互いに共同して道糸３を解除可能に拘束する拘束部材７，８を備える。両拘束部材７，８は、その球状曲面間３０で釣り竿２からの道糸３を挟み込むべく、ばね手段１９による押圧力を受ける。釣り竿２の投入動作により道糸３に作用する張力がばね手段１９のばね力に打ち勝つと、この張力によって道糸３は両拘束部材７，８による拘束を解除されることから、ベール４４が倒されたリール４０から所望の方向へ道糸３が繰り出される。【選択図】  図１
2006101864.tif 000002
【特許請求の範囲】
【請求項１】
道糸を巻き取るための巻取り姿勢および道糸の放出を許す放出姿勢が選択可能のベールを有するリールおよび該リールから繰り出された道糸を案内するための複数のガイド部材が設けられた釣り竿を用いる投げ釣りの投げ入れ操作を容易とするために、前記リールと該リールに最も近い位置に配置された前記ガイド部材との間に設けられる投げ釣り用補助具であって、互いに当接可能であり少なくとも一方に凸状曲面が形成された該凸状曲面で相互に当接可能の拘束部材と、両拘束部材間で互いに共同して道糸を解除可能に拘束すべく両拘束部材間に相互の押圧力を作用させる弾性手段と，前記両拘束部材間の圧力を変化することの出きる押圧力調整手段とを備え、投入動作に前記道糸に作用する張力によって前記両拘束部材による道糸の拘束が解除可能であることを特徴とする投げ釣り用補助具。
【発明の詳細な説明】
【技術分野】
【０００１】  本発明は、初心者のためや体の不自由な人が、投げ釣りをする時の補助具に関する。
【背景技術】
【０００２】  従来、初心者や体の不自由な人が投げ釣りをする時、投げ釣り用竿に取り付けられたリールのベールを倒し、スプールに巻きつけられた道糸を人差し指で引っ掛け、仕掛けを投入ポイントに向けて投入していたが、初心者の人、特に子供や女性は、投入時に人差し指に引っ掛けてある道糸を放すタイミングが難しく、投入ポイントとは違う方向、即ち、左右方向に投げ出され、オモリが周囲の人に当たり、迷惑をかけるおそれがあり危険であった。
【発明の開示】
【発明が解決しようとする課題】
【０００３】  上記のような問題点を解決するため、本発明は釣りの初心者や体の不自由な人でも安全でかつ投入ポイントに容易に投入することが出来る投げ釣り用補助具を提供することを目的とする。
【課題を解決するための手段】
【０００４】  本発明は、道糸を巻き取るための巻取り姿勢および道糸の放出を許す放出姿勢が選択可能のベールを有するリールおよび該リールから繰り出された道糸を案内するための複数のガイド部材が設けられた釣り竿を用いる投げ釣りの投げ入れ操作を容易とするために、前記リールと該リールに最も近い位置に配置された前記ガイド部材との間に設けられる投げ釣り用補助具であって、互いに当接可能であり少なくとも一方に凸状曲面が形成された該凸状曲面で相互に当接可能な拘束部材と、両拘束部材間で互いに共同して道糸を解除可能に拘束すべく両拘束部材間に相互の押圧力を作用させる弾性手段と、圧力調整ネジにより両拘束部材間の圧力を変化することにより、道糸の放出角度を釣り人が自由に調整することができる圧力調整手段とを備え、投入動作時に前記道糸に作用する張力によって前記両拘束部材による道糸の拘束が解除可能であることを特徴とする。
本発明によれば、ベールの放出姿勢での釣り竿の投入動作によって道糸に作用する張力がばね手段のばね力に打ち勝つと、この張力によって道糸は両拘束部材による拘束を解除されることから、従来のような熟練を有する人差し指での道糸の引っ掛け操作を行う必要がなく、釣り竿の振り出し方向へ容易かつ安全に道糸の先端に設けられる仕掛けを目的のポイントに投入することが可能となる。
【発明の効果】
【０００５】  本発明の補助具によれば、上記のようにリールのベールを倒して該ベールの機能を解除した状態で使用することにより、ポイントに投入出来、かつ安全に釣りの初心者でも容易に投げ釣りを行うことが可能となるという効果がある。
【発明を実施するための最良の形態】
【０００６】  押圧調整可能に当接した２つの球面体を持つ補助具は、投げ釣り竿のリール取り付け座板に装着し、リールと一番目の道糸ガイドの間に位置し、リールのスプールに道糸が巻き取られた該リールのロータに取り付けられているベールを解除し、該リール前方にある当該補助具の２つの球面体を介して保持し、釣り竿に間隔を置いて固着された道糸ガイドをそれぞれ介し、先端のガイドを挿通させ、投げ釣り用仕掛けを結束した状態で、通常道糸を人差し指を引っ掛けて投入するが、当該補助具に保持してあるので、指を引っ掛けないで確実に前方の投入ポイントに容易にかつ安全に投入することが出来た。
【実施例】
【０００７】  本発明を図面に従って詳しく説明すると、図１は、本発明の中央に沿った縦断面図を示すもので、図２は、本発明の外観図を示すものである。【０００８】  図１に示す当接する２つの球体７、８を摺動可能に収納する本体１と釣竿２と本体１との間に介在する緩衝部材４とが本体１と釣竿２とを固定する手段である固定ベルト５で釣竿２に固定されている。【０００９】  前記本体１には、その中央部に道糸３を導入するためのスリット３５が設けられ、該スリット３５の両側壁１５、１６の入り口には、前記道糸３が導入され易いようにＲ部３１、３２が形成されている。【００１０】  本体１の中央部に位置する一方の球体７は、本体１の一方の垂れ下がり壁１５に形成された貫通孔２１内に配置されている。コインやドライバーに係合可能の溝１３が設けられたねじ蓋１１がネジ穴２６と螺合しており、該ネジ蓋１１の内面２９と球体７の間に圧縮ばね１９が介在している。【００１１】  本体１の他方の垂れ下がり壁１６には、球体８を摺動可能にかつ球体８のほぼ３分の２を収納可能な穴２２が設けられている。また他方の垂れ下がり壁１６には、穴２２に開放するネジ孔からなるねじ部２７が設けられ、該ねじ部には押圧調整ねじ１２が螺合する。前記球体７と同軸上で該球体に前記球体８を押圧する。この圧力を調整するための押圧調整ねじ１２が形成されており、押圧調整ねじ１２の回転操作により押圧力を調整することがきる。【００１２】  後述するように、リール４０から繰り出される前記道糸３は、球体７と８の当接部３０を経て、前記本体１の溝３５の付け根部分空間２３に入り、球体７と８とに接するように当接して両球面体７，８間に挟み込まれることにより保持される。【００１３】  この時、球体７と８の押圧力が弱いと道糸３の太さにより該道糸が当接部３０から脱落してしまうので、前記調整ネジ１２によりねじ込み押圧力を強くして、道糸３が球体７、８間で確実に挟持される様に、すなわち当接部３０から脱落しないように調節する。【００１４】  このように構成された本体１を釣竿２に固定するため、固定ベルト５を挿通する貫通穴６が本体１の上部水平部に設けられ、本体１の上面９に釣竿２を支持する前記緩衝部材４が固着され、前記固定ベルト５の外側と内側は、ループとフックから成る面ファスナー２０で相互に着脱可能になるように構成されている。【００１５】  以上のように構成された投げ釣り補助具１０は、図２に示すように、釣り竿２のリール４０の近傍に取付けられる。リール４０は釣竿２の下面に固定されたリール取り付け具４５を介して釣り竿２に取り付けられている。該リール４０のスプール４１の巻き付け部４３には、道糸３が巻き付けられており、リール４０のベール４４を道糸の巻き取り姿勢からその放出姿勢になるように倒し、道糸３をフリーの状態にし、道糸３が取り出される。  取り出された道糸３は当該投げ釣り補助具１０の道糸導入部３１から前記２つの球体７と８が当接する当接部３０を介し、該球体７と８の上部空間部２３に挿入され、その結果、該道糸３は、前記当接部３０で挟み込まれて保持される。【００１６】  道糸３は釣竿２０に互いに間隔をおいて設けられた複数の道糸ガイド４６により釣り竿２に沿って案��され、先端で仕掛け５０に連結されている。【００１７】  仕掛け５０は、一般的な一実施例を示すもので、オモリ４８と天秤４７の先端に釣り針４９が結束されているものである。【００１８】  なお、本発明に係る補助具１０は、図３に示すように、リール４０と、該リールに最も近い道糸ガイド４６との間で、釣り竿２に固定される。
図３は、使用例を示すもので、釣り人Ｆは、前方水面Ｓに向かって釣竿２０に取り付けられた本発明である投げ釣り用補助具１０に道糸３を装着し、その状態で振り込むと、天秤４９に装着したオモリ４８と釣り針を持つ仕掛け４７とから成る仕掛け全体５０は、遠方のポイントに投げ出されると同時に、前記２つの球体７と８に保持された道糸３は、これに作用する張力がばね手段である圧縮ばね１９のばね力に打ち勝つとこの張力によって、該２つの球体７と８の当接部からはずれ、両球体７，８間での挟持が解除されることから、仕掛け全体５０は、前方に投入される。【００１９】  従来は、リール４０のベール４４を倒し、人差し指に道糸３を引っ掛けて投入するが、慣れた人では投入する際、人差し指に引っ掛けた道糸３を放すタイミングをうまくとることが可能であるため、投入ポイントに投入出来るが、本発明では、釣りの初心者や体の不自由な人でも確実に投入ポイントへの投入が可能になった。
本発明は、道糸を解除可能に拘束するための図１に示した球体７，８に限定することなく、図４に示すような半球状の拘束部材７’、８’を用いることもできる。この場合、ばね手段として圧縮ばね１９に代えてゴムのような弾状体１９’が用いられており、調節ねじ２７が拘束部材８’と一体に形成されている。一方の拘束部材７’の半球面を平坦面とに構成することも可能である。
【図面の簡単な説明】
【００２０】
【図１】  本発明の中央に沿った縦断面図である。
【図２】  本発明の外観図を示すものである。
【図３】  本発明の実施例を示すもので、仕掛け５０は、一実施例を示すものである。
【図４】  本発明の他の実施例を示すものである。
【符号の説明】
【００２１】１・・・・・・本体
２・・・・・・釣竿
３・・・・・・道糸
４・・・・・・緩衝材
５・・・・・・固定ベルト
６・・・・・・固定ベルト挿通孔
７・・・・・・球体
８・・・・・・球体
９・・・・・・本体上面
１０・・・・・投げ釣り補助具全体
１１・・・・・・ネジ蓋
１２・・・・・・押圧力調整ネジ
１５・・・・・・垂れ下がり壁
１６・・・・・・垂れ下がり壁
１７・・・・・・Ｒ状道糸導入面
１８・・・・・・Ｒ状道糸導入面
１９・・・・・・圧縮ばね
２０・・・・・・面ファスナー
３０・・・・・・当接部
３５・・・・・・道糸導入部
４０・・・・・・リール
４１・・・・・・スプール
４３・・・・・・道糸巻取り部
４４・・・・・・ベール
４５・・・・・・リール取り付け座金
４６・・・・・・道糸ガイド
４８・・・・・・オモリ
５０・・・・・・仕掛け全体
【図１】
2006101864.tif 000003
【図２】
2006101864.tif 000004
【図３】
2006101864.tif 000005
【図４】
2006101864.tif 000006